(57)【要約】  実施例に開示された照明装置は、基板と、基板の上に所定の間隔で配置される光源と、前記基板及び前記光源の上に配置される樹脂層と、前記樹脂層の上に配置される蛍光体層とを含み、前記蛍光体層は、前記光源とオーバーラップし、フラットな領域を含む第１領域と、前記第１領域のエッジから前記基板のエッジ方向に延長され、曲面を含む第２領域とを含み、前記第２領域は、前記樹脂層の側面と一番隣接する第１光源の中心から水平な直線が交差する第１地点、前記曲面の上の第２地点及び前記第１光源の中心から前記基板に垂直な直線が交差する第３地点を含み、前記第１光源の中心から第２地点までの第２距離は、第１光源の中心から第１地点までの第１距離より大きく、第１光源の中心から前記第３地点までの第３距離より小さくてもよい。
2021534546.tif 000002
【特許請求の範囲】
【請求項１】
基板と、
前記基板の上に所定の間隔で配置されるＮ個の光源(Ｎは３以上の自然数)と、
前記基板及び前記光源の上に配置される樹脂層と、
前記樹脂層の上に配置される蛍光体層と、
を含み、
前記蛍光体層は、前記基板と垂直方向に前記Ｎ個の光源のうちの一部とオーバーラップし、フラットな領域を含む第１領域と、前記第１領域の側面から前記基板の方向に延長され曲面を含む第２領域とを含み、
前記第２領域は、前記樹脂層の側面と一番隣接する第１光源の中心から前記基板に水平方向に接する第１地点、前記曲面の上の第２地点、及び前記第１光源の中心から前記基板に垂直な直線が通る第３地点を含み、
前記第１光源の中心から前記第２地点までの第２距離は、前記第１光源の中心から前記第１地点までの第１距離より大きく、前記第１光源の中心から前記第３地点までの第３距離より小さい、照明装置。
【請求項２】
前記第１距離は、前記光源の間の距離の４４％〜５５％である、請求項１に記載の照明装置。
【請求項３】
前記光源の間の距離は、５.５ｍｍ〜６.５ｍｍである、請求項２に記載の照明装置。
【請求項４】
前記第２領域の曲面の曲率半径は、前記基板の垂直方向の前記樹脂層の厚さと前記蛍光体層の前記第１領域の厚さの和と同一またはより大きい、請求項１に記載の照明装置。
【請求項５】
前記第２領域の曲面の曲率半径は、前記樹脂層の厚さと前記蛍光体層の前記第１領域の厚さの和の１００％〜１１０％であり、
前記樹脂層の厚さと前記蛍光体層の前記第１領域の厚さの和は、５.５ｍｍ〜６.０ｍｍである、請求項４に記載の照明装置。
【請求項６】
前記Ｎ個の光源は、列に合わせて配置され、行に合わせて配置されるＭ個の光源をさらに含む、請求項１に記載の照明装置。
【請求項７】
前記蛍光体層は、前記第１領域と前記第２領域の間に位置し、前記蛍光体層の外面の一地点である第４地点、及び前記基板と前記第２領域の外面が対向する第７地点を含み、
前記基板は、前記第４地点から前記基板の上面と最短距離である前記基板の第５地点を含み、
前記基板の前記第５地点は、前記第７地点から前記第１地点に一番隣接する前記第１光源までの距離より大きく、前記曲面の曲率半径より小さいまたは同一な領域内に配置される、請求項１に記載の照明装置。
【請求項８】
前記蛍光体層は、前記蛍光体層の前記第２領域と前記基板との間に前記基板と垂直な第３領域を含み、
前記第３領域は、前記基板と対向する第６地点を含み、
前記第１光源の中心から前記第６地点までの距離は、前記第１距離より大きい、請求項１から７のいずれか一項に記載の照明装置。
【請求項９】
前記基板の上面を基準として前記第３領域の高さは、前記光源の高さより小さく、
前記第１地点、前記第２地点、及び前記第３地点は、前記蛍光体層の前記第２領域の外面である、請求項８に記載の照明装置。
【請求項１０】
基板と、
前記基板の上に所定の間隔で配置されるＮ個の光源(Ｎは３以上の自然数)と、
前記基板及び前記光源の上に配置される樹脂層と、
前記樹脂層の上に配置される蛍光体層と、
を含み、
前記蛍光体層は、前記Ｎ個の光源のうちの一部と前記基板と垂直方向にオーバーラップするフラットな領域と、前記フラットな領域と隣接する曲面領域とを含み、
前記蛍光体層は、前記蛍光体層と前記基板が接触する第７地点、及び前記蛍光体層の前記曲面領域と前記フラットな領域が接する第４地点を含み、
前記基板は、前記第４地点から前記基板の上面と最短距離である前記基板の第５地点を含み、
前記基板の前記第５地点は、前記第７地点から前記第７地点に一番隣接する前記第１光源までの距離よりは大きく、前記曲面領域の曲率半径よりは小さいまたは同一な領域内に配置される、照明装置。
【請求項１１】
前記第４地点は、前記蛍光体層の外面に配置され、
前記第７地点は、前記蛍光体層と前記樹脂層が隣接する前記蛍光体層の内側面に配置される、請求項１０に記載の照明装置。
【請求項１２】
前記蛍光体層の前記フラットな領域の厚さは、前記曲面領域の厚さと同一である、請求項１０または１１に記載の照明装置。
【請求項１３】
基板と、
前記基板の上に所定の間隔で離隔して配置される複数の光源と、
前記基板及び光源の上に配置される樹脂層と、
前記樹脂層の上に配置される蛍光体層と、
を含み、
前記樹脂層は、第１側面、第２側面と前記第１側面及び第２側面と接する角領域を含み、
前記樹脂層は、前記基板の上面と対向する領域で前記第１側面と前記角領域が接する第８地点と、前記基板の上面と対向する領域で前記第２側面と前記角領域が接触する第９地点と、前記角領域の外面である第１０地点とを含み、
前記樹脂層の角領域に一番隣接する第１光源の中心から前記角領域の外面の第１０地点までの距離は、前記第１光源の中心から前記第８地点及び前記第９地点までの距離と同一である、照明装置。
【請求項１４】
前記第１側面と前記基板の上面が対向する領域は、直線を含み、
前記角領域の外面は、前記第１光源の中心から前記基板に垂直な方向に最短距離である第１１地点を含み、
前記第１光源の中心から前記第１１地点までの直線距離は、前記第１光源の中心から前記第１０地点までの距離より大きい、請求項１３に記載の照明装置。
【請求項１５】
前記蛍光体層は、赤色インクを含む、請求項１、１０または１３のいずれか一項に記載の照明装置。
【発明の詳細な説明】
【技術分野】
【０００１】
本開示は、光効率を向上させるための面発光照明装置に関するものである。
【背景技術】
【０００２】
一般的に、発光素子、例えば発光ダイオード(LED)は、蛍光灯、白熱灯等既存の光源に比べて、低消費電力、半永久的な寿命、速い応答速度、安全性、環境親和性等の長所がある。このような発光ダイオードは、各種表示装置、室内灯または室外灯のような各種照明装置に適用されている。
【０００３】
最近では、車両用光源として、発光素子を採用するランプが提案されている。白熱灯と比較すると、発光素子は、消費電力が小さいという点で有利である。発光素子は、サイズが小さいので、ランプのデザイン自由度を高めることができ、半永久的な寿命によって経済性もある。
【０００４】
このような車両用照明装置は、面光源の照明装置が用いられており、これによって車両用ランプの立体感及び独特な審美感を付与している。
【０００５】
従来、面光源の照明装置は、上面と側面が折り曲げられる多面体からなっているが、上面と側面の間の角領域は、発光素子との距離が非常に遠いので、発光素子の光が到達する時間が発生し、これによって角領域に暗線が発生することになる。
【発明の概要】
【発明が解決しようとする課題】
【０００６】
本開示は、暗線が発生することを防止するための照明装置を提供することを目的とする。
【０００７】
また、本開示は、面光源の輝度を均一にするための照明装置を提供することを目的とする。
【課題を解決するための手段】
【０００８】
本開示に係る照明装置は、基板と、前記基板の上に所定の間隔で配置されるＮ個の光源と、前記基板及び前記光源の上に配置される樹脂層と、前記樹脂層の上に配置される蛍光体層とを含み、前記蛍光体層は、前記基板と垂直方向に前記Ｎ個の光源のうちの一部とオーバーラップし、フラットな領域を含む第１領域と、前記第１領域の側面から前記基板の方向に延長され曲面を含む第２領域とを含み、前記第２領域は、前記樹脂層の側面と一番隣接する第１光源の中心から前記基板に水平方向に対向する第１地点、前記曲面の上の第２地点、及び前記第１光源の中心から前記基板に垂直な直線と対向する第３地点を含み、前記第１光源の中心から前記第２地点までの第２距離は、前記第１光源の中心から前記第１地点までの第１距離より大きく、前記第１光源の中心から前記第３地点までの第３距離より小さく形成されてもよい。
【０００９】
前記第１距離は、前記光源の間の距離の４４％〜５５％であってもよい。前記光源の間の距離は、５.５ｍｍ〜６.５ｍｍを有することができる。前記第２領域の曲面の曲率半径は、前記基板の垂直方向の前記樹脂層の厚さと前記蛍光体層の前記第１領域の厚さの和より大きくまたは同一に形成されてもよい。前記第２領域の曲面の曲率半径は、前記基板の垂直方向の前記樹脂層の厚さと前記蛍光体層の前記第１領域の厚さの和の１００％〜１１０％であってもよい。前記基板の垂直方向の前記樹脂層の厚さと前記蛍光体層の前記第１領域の厚さの和は、５.５ｍｍ〜６.０ｍｍを有することができる。
【００１０】
前記Ｎ個の光源は、列に合わせて配置され、行に合わせて配置されるＭ個の光源をさらに含むことができる。前記蛍光体層は、前記第１領域と前記第２領域の境界に位置し、前記蛍光体層の外側面の一地点である第４地点、及び前記基板と前記第２領域の外面が対向する第７地点を含み、前記基板は、前記第４地点から前記基板の上面と最短距離である前記基板の第５地点を含み、前記基板の前記第５地点は、前記第７地点から前記第１地点に一番隣接する前記第１光源までの距離よりは大きく、前記曲面領域の曲率半径よりは小さいまたは同一な領域内に配置されてもよい。前記蛍光体層は、前記蛍光体層の前記第２領域と前記基板との間に前記基板と垂直な第３領域を含み、前記第３領域は、前記基板と接触または対向する第６地点を含み、前記第１光源の中心から前記第６地点までの距離は、前記第１距離より大きく形成されてもよい。前記基板の上面を基準として前記第３領域の高さは、前記光源の高さより小さく形成されてもよい。前記第１地点、前記第２地点、及び前記第３地点は、前記蛍光体層の前記第２領域の外面であってもよい。
【００１１】
また、本開示に係る照明装置は、基板と、前記基板の上に所定の間隔で配置されるＮ個の光源と、前記基板及び前記光源の上に配置される樹脂層と、前記樹脂層の上に配置される蛍光体層とを含み、前記蛍光体層は、前記Ｎ個の光源のうちの一部と前記基板と垂直方向にオーバーラップするフラットな領域と、前記フラットな領域と隣接する曲面領域とを含み、前記蛍光体層は、前記蛍光体層と前記基板が接触または対向する第７地点、前記蛍光体層の前記曲面領域と前記フラットな領域が接触または対向する第４地点を含み、前記基板は、前記第４地点から前記基板の上面と最短距離である前記基板の第５地点を含み、前記基板の前記第５地点は、前記第７地点から前記第７地点に一番隣接する前記第１光源までの距離よりは大きく、前記曲面領域の曲率半径よりは小さいまたは同一な領域内に配置されてもよい。
【００１２】
前記第４地点は、前記蛍光体層の外側面に配置され、前記第７地点は、前記蛍光体層と前記樹脂層が接触または対向する前記蛍光体層の内側面に配置されてもよい。前記蛍光体層の前記フラットな領域の厚さは、前記曲面領域の厚さと対応してもよい。
【００１３】
また、本開示に係る照明装置は、基板と、前記基板の上に所定の間隔で離隔して配置される複数の光源と、前記基板及び光源の上に配置される樹脂層と、前記樹脂層の上に配置される蛍光体層とを含み、前記樹脂層は、第１側面、第２側面と前記第１側面及び第２側面と接触する角領域を含み、前記樹脂層は、前記基板の上面と対向する領域で前記第１側面と前記角領域が接する第８地点と、前記基板の上面と対向する領域で前記第２側面と前記角領域が接触する第９地点と、前記角領域の外面である第１０地点とを含み、前記樹脂層の角領域に一番隣接する第１光源の中心から前記角領域の外面の第１０地点までの距離は、前記第１光源の中心から前記第８地点及び前記第９地点までの距離と同一に形成されてもよい。
【００１４】
前記第１側面と前記基板の上面が接触する領域は、直線を含むことができる。前記角領域の外面は、前記第１光源の中心から前記基板に垂直な方向に最短距離である第１１地点を含み、前記第１光源の中心から前記第１１地点までの直線距離は、前記第１光源の中心から前記第１０地点までの距離より大きく形成されてもよい。前記蛍光体層は、赤色インクを含むことができる。
【発明の効果】
【００１５】
本開示は、蛍光体層の側面が曲面を有するように形成することで、蛍光体層の上部面と側面の間の境界面で暗線が発生することを防止することができる。
【００１６】
また、本開示は、蛍光体層の側面と光源の中心との距離を変化させることで、蛍光体層の輝度の均一性を向上させることができる効果がある。
【００１７】
また、本開示は、蛍光体層の側面に直線を有する面をさらに形成することで、蛍光体層の側面から出射する光の輝度をより向上させることができる効果がある。
【図面の簡単な説明】
【００１８】
【図１】図１は、第１実施例に係る照明装置を示した斜視図である。
【図２】図２は、図１の照明装置において基板に実装された光源の配置構造を説明するための斜視図である。
【図３】図３は、図１のＡ‐Ａ断面図である。
【図４】図４は、図３の一部拡大図である。
【図５】図５は、図１の照明装置において蛍光体層を除去した状態の照明装置を示した斜視図である。
【図６】図６は、図５の照明装置において光源と樹脂層の間の距離に応じた関係を説明するための平面図である。
【図７】図７は、図６の照明装置のＢ‐Ｂ断面図である。
【図８】図８は、第２実施例に係る照明装置を示した断面図である。
【発明を実施するための形態】
【００１９】
以下、添付された図面を参照して本発明の好ましい実施例を詳しく説明する。本発明の技術思想は、説明される一部実施例に限定されるものではなく、相互異なる多様な形態で具現することができ、本発明の技術思想の範囲内であれば、各実施例の構成要素のうちの１つ以上を選択的に結合、置換して用いることができる。また、本発明の実施例に使用された用語(技術及び科学的用語を含む)は、明白に特義して記述されない限り、本発明が属する技術分野で通常の知識を有した者に一般的に理解できる意味であると解釈することができ、辞書に定義された用語のように、一般的に使用される用語は、関連文脈上の意味を考慮してその意味を解釈することができるだろう。また、本発明の実施例で用いられる用語は、実施例を説明するためのものであり、本発明を制限しようとするものではない。
【００２０】
本明細書において、単数型は、特に言及しない限り複数型も含むことができ、「Ａ及び(と)Ｂ、Ｃのうち少なくとも１つ(または１つ以上)」と記載される場合、Ａ、Ｂ、Ｃで組合せることができる全ての組合せのうちの１つ以上を含むことができる。また、本発明の実施例の構成要素の説明において、第１、第２、Ａ、Ｂ、(ａ)、(ｂ)等の用語を用いることができるが、このような用語は、その構成要素を他の構成要素と区別するためのものであり、その用語によって当該構成要素の本質や順番または順序等で限定されるものではない。そして、ある構成要素が他の構成要素に「連結」、「結合」または「接続」されると記載された場合、その構成要素は、その他の構成要素に直接的に連結、結合または接続される場合だけではなく、その構成要素とその他の構成要素の間にあるさらに他の構成要素によって「連結」、「結合」または「接続」される場合も含むことができる。また、各構成要素の「上または下」に形成または配置されると記載される場合、上または下は、２つの構成要素が直接接触する場合だけではなく１つ以上のさらに他の構成要素が２つの構成要素の間に形成または配置される場合も含む。また、「上または下」と表現される場合、１つの構成要素を基準として、上側方向だけではなく下側方向の意味も含むことができる。
【００２１】
図１は、第１実施例に係る照明装置を示した斜視図であり、図２は、基板に実装された光源の配置構造を説明するための斜視図であり、図３は、図１のＡ‐Ａ断面図であり、図４は、図３の一部拡大図である。
【００２２】
図１に示されたように、第１実施例に係る照明装置１００は、六面体形状を含むことができる。照明装置１００の形状は、これに限定されるものではない。照明装置１００は、多面発光が可能な構造で形成されてもよい。例えば、照明装置１００の上面及び４つの側面から光が出射される。上記では、光が５面から出射するものと図示したが、これに限定されるものではなく、下面を通じて光が出射されてもよい。
【００２３】
図１〜図３を参照すると、前記照明装置１００は、基板(PCB(Printed Circuit Board))１１０と、前記基板１１０の上に配置された複数の光源１２０と、前記光源１２０の上に配置された樹脂層１３０と、前記樹脂層１３０の上に配置された蛍光体層１４０を含むことができる。
【００２４】
前記基板１１０は、絶縁性または導電性材質を含むことができる。前記基板１１０は、リジッド(rigid)またはフレキシブルな材質からなることができる。前記基板１１０は、透明または不透明な材質からなることができる。前記基板１１０は、上部に導電性パターンの電極が形成される。
【００２５】
前記光源１２０は、前記基板１１０の上に配置される。前記光源１２０は、前記基板１１０の第１方向または長軸方向にＮ個が配置され、第２方向または短軸方向にＭ個が配置されてもよい。基板１１０の長軸方向に配置されたＮ個の光源１２０の間の間隔は、同一または異なってもよい。前記第１方向は列方向であり、前記第２方向は行方向であり、前記第１及び第２方向は相互直交する方向であってもよい。前記Ｎは３以上の整数であり、前記Ｍは２以上または３以上の整数であってもよい。前記基板１１０の短軸方向に配置されたＭ個の光源１２０の間の間隔は、同一または異なってもよい。前記光源１２０の間の離隔距離は、面光源を効果的に具現するために適宜配置される。
【００２６】
前記光源１２０は、発光素子を含むことができる。前記光源１２０は、青色、緑色、赤色、白色、赤外線または紫外線の光を発光することができる。前記光源１２０は、例えば４２０ｎｍ〜４７０ｎｍの範囲の青色光を発光することができる。前記光源１２０は、化合物半導体から提供されてもよい。前記光源１２０は、半導体を含み、例えばII族‐VI族またはIII族‐V族化合物半導体を含むことができる。例えば、前記光源１２０は、アルミニウム(Al)、ガリウム(Ga)、インジウム(In)、リン(P)、ヒ素(As)、窒素(N)から選択された少なくとも２つ以上の元素を含むことができる。
【００２７】
前記光源１２０は、第１導電型半導体層、活性層、第２導電型半導体層を含むことができる。前記第１及び第２導電型半導体層は、II族‐VI族またはIII族‐V族の化合物半導体のうち少なくとも１つで具現することができる。前記第１及び第２導電型半導体層は、例えばInxAlyGa1‐x‐yN(０≦ｘ≦１、０≦ｙ≦１、０≦ｘ＋ｙ≦１)の組成式を有する半導体材料からなることができる。例えば、前記第１及び第２導電型半導体層は、GaN、AlN、AlGaN、InGaN、InN、InAlGaN、AlInN、AlGaAs、GaP、GaAs、GaAsP、AlGaInP等を含む群から選択された少なくとも１つを含むことができる。前記第１導電型半導体層は、Si、Ge、Sn、Se、Te等のｎ型ドーパントがドーピングされたｎ型半導体層であってもよい。前記第２導電型半導体層は、Mg、Zn、Ca、Sr、Ba等のｐ型ドーパントがドーピングされたｐ型半導体層であってもよい。前記活性層は、化合物半導体で具現することができる。前記活性層は、例えばII族‐VI族またはIII族‐V族の化合物半導体のうち少なくとも１つで具現することができる。前記活性層が多重井戸構造に具現された場合、前記活性層は、交互に配置された複数の井戸層と複数の障壁層を含むことができ、InxAlyGa1‐x‐yN(０≦ｘ≦１、０≦ｙ≦１、０≦ｘ＋ｙ≦１)の組成式を有する半導体材料で配置されてもよい。例えば、前記活性層は、InGaN/GaN、GaN/AlGaN、AlGaN/AlGaN、InGaN/AlGaN、InGaN/InGaN、AlGaAs/GaAs、InGaAs/GaAs、InGaP/GaP、AlInGaP/InGaP、InP/GaAsを含む群から選択された少なくとも１つを含むことができる。
【００２８】
前記基板１１０の上部には反射層(図示されない)がさらに形成されてもよい。前記反射層は、光源１２０から発生した光を上部に誘導する役割をする。前記反射層は、ホワイト材質を含むことができる。前記反射層は、樹脂材質を含むことができる。反射層は、シリコンまたはエポキシ内に反射物質、例えばＴｉＯ２を含むことができる。前記反射層は、前記基板１１０と樹脂層１３０の間に配置されてもよい。前記反射層の厚さは、前記光源１２０の厚さより小さく配置され、前記光源１２０の側方向に放出された光を反射させることができる。
【００２９】
前記樹脂層１３０は、前記基板１１０及び前記光源１２０の上に配置されてもよい。前記樹脂層１３０は、前記光源１２０のそれぞれの上面及び側面を覆うことができる。前記樹脂層１３０の上面は、フラットに形成され、前記樹脂層１３０の各側面は、曲面を含むことができる。前記樹脂層１３０は、トップビュー形状が多角形形状を有することができ、少なくとも４つの側面を含むことができる。前記樹脂層１３０は、トップビュー形状が円形または楕円形状を有することができ、曲面を有する側面を含むことができる。
【００３０】
前記樹脂層１３０の上面は、蛍光体層１４０の下面と対向し、前記樹脂層１３０の側面は、前記蛍光体層１４０の側面と対向することができる。前記樹脂層１３０は、透明な樹脂材質、例えばＵＶ(Ultra Violet)樹脂(Resin)、シリコンまたはエポキシのような樹脂材質であってもよい。前記ＵＶ樹脂は、例えば主材料として、ウレタンアクリレートオリゴマーを主原料とする樹脂(オリゴマータイプ)を利用することができる。例えば、合成オリゴマーであるウレタンアクリレートオリゴマーを利用することができる。前記主材料に低沸点希釈型反応性モノマーであるIBOA(isobornyl acrylate)、HBA(Hydroxybutyl Acrylate)、HEMA(Hydroxy Metaethyl Acrylate)等が混合されたモノマーをさらに含むことができ、添加剤として光開始剤(例えば、1‐hydroxycyclohexyl phenyl‐ketone、Diphenyl)、Diphwnyl(2,4,6‐trimethylbenzoyl phosphine oxide)等または酸化防止剤等を混合することができる。前記ＵＶ樹脂は、オリゴマー１０〜２１％、モノマー３０〜６３％、添加剤１.５〜６％を含んで構成される組成物からなることができる。この場合、前記モノマーは、IBOA(isobornyl Acrylate)１０〜２１％、HBA(Hydroxybutyl Acrylate)１０〜２１％、HEMA(Hydroxy Metaethyl Acrylate)１０〜２１％の混合物で構成されてもよい。前記添加剤は、光開始剤１〜５％を添加して光反応性を開始する機能をするようにすることができ、酸化防止剤０.５〜１％を添加して黄変現象を改善できる混合物からなることができる。上述した組成物を利用した前記樹脂層１３０の形成は、導光板の代わりにＵＶ樹脂等の樹脂で層を形成して、屈折率、厚さ調節を可能とすると共に、上述した組成物を利用して粘着特性と信頼性及び量産速度を全て充足できるようにすることができる。前記樹脂層１３０は、内部に拡散剤(beads or dispersing agent)をさらに含むことができる。前記拡散剤は、球形状を有することができ、そのサイズは４μｍ〜６μｍの範囲を有することができる。前記拡散剤の形状及びサイズは、これに限定されるものではない。
【００３１】
前記樹脂層１３０は、単一層に形成したが、多層に形成してもよい。例えば、多層の前記樹脂層１３０は、基板１１０の上に不純物が含まれない第１樹脂層と、前記第１樹脂層の上に拡散剤を含む第２樹脂層を含むことができる。逆に、多層の前記樹脂層１３０は、基板１１０の上に拡散剤を含む第１樹脂層、及び不純物を含まない第２樹脂層を含むことができる。
【００３２】
前記蛍光体層１４０は、樹脂層１３０の上に形成されてもよい。前記蛍光体層１４０は、透光性物質を含むことができる。前記蛍光体層１４０は、透明な絶縁物質と内部に波長変換手段を含むことができる。前記蛍光体層１４０は、シリコン材質であってもよく、例えば相互異なる化学的結合を有するシリコン材質であってもよい。前記シリコンは、無機物であるケイ素と有機物である炭素が結合された重合体として、無機物の熱安定性、化学的安定性、耐摩耗性、光沢性等と有機物の特性である反応性、溶解性、弾力性、加工性等の物性を持っている。前記シリコンは、一般シリコン、フッ素比率を高めたフッ素シリコンを含むことができる。前記フッ素シリコンのフッ素比率を高めると、防湿性を改善させることができる効果がある。
【００３３】
前記蛍光体層１４０は、前記光源１２０から放出される光が入射し、波長変換された光を提供する波長変換手段を含むことができる。例えば、前記蛍光体層１４０は、蛍光体または量子ドットのうち少なくとも１つを含むことができる。前記蛍光体または量子ドットは、青色、緑色、赤色の光を発光することができる。前記蛍光体は、蛍光体層１４０の内部に均一に配置される。前記蛍光体は、フッ化物(fluoride)化合物の蛍光体を含むことができ、例えばＭＧＦ系蛍光体、ＫＳＦ系蛍光体またはＫＴＦ系蛍光体のうち少なくとも１つを含むことができる。前記蛍光体は、相互異なるピーク波長を発光することができ、前記光源１２０から放出された光を、相互異なる黄色と赤色または相互異なる赤色ピーク波長で発光することができる。前記蛍光体が赤色蛍光体である場合、前記赤色蛍光体は、６１０ｎｍから６５０ｎｍまでの波長範囲を有することができ、前記波長は１０ｎｍ未満の幅を有することができる。前記赤色蛍光体は、フッ化物(fluoride)系蛍光体を含むことができる。前記フッ化物系蛍光体は、ＫＳＦ系赤色Ｋ２ＳｉＦ６：Ｍｎ４＋、Ｋ２ＴｉＦ６：Ｍｎ４＋、ＮａＹＦ４：Ｍｎ４＋、ＮａＧｄＦ４：Ｍｎ４＋、Ｋ３ＳｉＦ７：Ｍｎ４＋のうち少なくとも１つを含むことができる。前記ＫＳＦ系蛍光体、例えばＫａＳｉ１‐ｃＦｂ：Ｍｎ４＋ｃの組成式を有することができ、前記ａは１≦ａ≦２.５、前記ｂは５≦ｂ≦６.５、前記ｃは０.００１≦ｃ≦０.１を満足する。
【００３４】
また、前記フッ化物系赤色蛍光体は、高温・高湿における信頼性を向上させるために、それぞれＭｎを含有しないフッ化物でコーティングされるか、蛍光体表面またはＭｎを含有しないフッ化物コーティング表面に有機物コーティングをさらに含むことができる。上記のようなフッ化物系赤色蛍光体の場合、その他蛍光体とは違って１０ｎｍ以下の幅を具現できるので、高解像度装置に活用することができる。実施例に係る蛍光体組成は、基本的に化学量論(Stoichiometry)に符合しなければならず、各元素は、周期律表上の各族内で他の元素で置換が可能である。例えば、Ｓｒはアルカリ土類(II)族のBa、Ca、Mg等で、Ｙはランタノイド系のTb、Lu、Sc、Gd等で置換が可能である。また、活性剤であるＥｕ等は、所望のエネルギー準位に応じてCe、Tb、Pr、Er、Yb等で置換が可能であり、活性剤単独または特性変形のために不活性剤等がさらに適用されてもよい。
【００３５】
前記量子ドットは、II‐VI化合物またはIII‐V族化合物半導体を含むことができ、赤色光を発光することができる。前記量子ドットは、例えばZnS、ZnSe、ZnTe、CdS、CdSe、CdTe、GaN、GaP、GaAs、GaSb、InP、InAs、In、Sb、AlS、AlP、AlAs、PbS、PbSe、Ge、Si、CuInS2、CuInSe2等のようなもの及び組合わせからなることができる。
【００３６】
前記蛍光体層１４０は、蛍光体と有色インクを含むことができる。前記蛍光体層１４０は、内部に赤色インクを含むことができる。前記赤色インクは、光源１２０が点灯されない場合、照明装置１４０の外部面は赤色に見える。即ち、照明装置１００は、光が点灯または点灯されない場合のいずれも赤色に見えることで、色差による異質感を防止することができる。前記赤色インクは、赤色粉末または赤色インク粒子を含むことができる。
【００３７】
前記蛍光体層１４０は、前記樹脂層１３０の上に配置された第１領域１４１と、前記樹脂層１３０の側面に配置された第２領域１４３を含むことができる。前記蛍光体層１４０の第１領域１４１は、前記基板１１０と垂直方向にＮ個の光源１２０のうち一部とオーバーラップすることができる。前記蛍光体層１４０の第１領域１４１は、前記基板１１０の上の一番外側に配置された少なくとも１つの光源１２０の一部と垂直方向にオーバーラップしなくてもよい。
【００３８】
前記蛍光体層１４０の第１領域１４１は、前記基板１１０の上面と平行するように配置されてもよい。前記蛍光体層１４０の第１領域１４１の幅は、前記基板１１０の幅より小さくてもよい。前記蛍光体層１４０の第１領域１４１のエッジは、前記基板１１０の側面より内側に配置されてもよい。前記蛍光体層１４０の第１領域１４１の上面または下面は、フラットな面を含むことができる。
【００３９】
前記蛍光体層１４０の第２領域１４３は、蛍光体層１４０の第１領域１４１のエッジから基板１１０方向に延長される。前記蛍光体層１４０の第２領域１４３は、曲面を含むことができる。前記第２領域１４３は、前記第１領域１４１のエッジから前記蛍光体層１４０の下端まで連結する仮想の直線より外側に配置されてもよい。前記蛍光体層１４０の第２領域１４３は、前記樹脂層１３０の内部から外部に向かって膨らむ形状を有する曲面を含むことができる。前記蛍光体層１４０の第２領域１４３は、前記基板１１０の上部の一番外側に配置された前記光源１２０と基板１１０の垂直方向にオーバーラップするように形成されてもよい。実施例では、蛍光体層１４０の第１領域１４１の厚さと蛍光体層１４０の第２領域１４３の厚さは同一であってもよい。別の例として、前記第１領域１４１の厚さは、前記第２領域１４３の厚さより厚くてもよい。
【００４０】
前記蛍光体層１４０の側面部が曲面を有するように形成されることで、前記蛍光体層１４０の角領域と前記基板１００の一番外側に配置された光源１２０との距離が減り、前記蛍光体層１４０の第１領域１４１と第２領域１４３の間の境界面で暗線が発生することを防止することができる。比較例で、多角形形状の蛍光体層は、上面と側面の間の角部分で暗線が発生することがある。発明の実施例は、曲面を有する側面と上面を有する蛍光体層の上面エッジ部分における暗線は除去される。
【００４１】
前記光源、樹脂層及び蛍光体層の配置構造を中心に説明したが、前記暗線の除去及び光の均一度を向上させるために、前記光源と前記蛍光体層の間の距離、前記蛍光体層の第２領域の曲率半径、前記樹脂層及び前記蛍光体層の厚さの間の関係は重要である。以下、前記照明装置の各構成要素に対して詳しく説明することにする。
【００４２】
図４に示されたように、前記光源１２０は、前記蛍光体層１４０の第１領域１４１と垂直方向に重なり、前記蛍光体層１４０の第２領域１４３と垂直方向に重なった第１光源１２１を含むことができる。前記第１光源１２１は、前記第１領域１４１と垂直方向に重なった光源より外側に配置されるか、前記樹脂層１３０の曲面により隣接することができる。ここで、前記第１光源１２１は、前記基板１００に配置された前記複数の光源１２０のうち前記樹脂層１３０の側面または外側曲面と一番隣接するように配置された光源であってもよい。
【００４３】
前記樹脂層１３０の各側面は曲面であってもよい。前記樹脂層１３０の各側面は、前記樹脂層１３０の上面エッジと下面エッジの間を連結した仮想の直線より外側に膨らむことができる。前記樹脂層１３０の各側面は、膨らんだ曲面であってもよく、前記膨らんだ曲面は、前記樹脂層１３０の周りに沿って配置されてもよい。前記樹脂層１３０の側面の間の境界部分または角部分は、曲面であってもよい。
【００４４】
前記蛍光体層１４０の第２領域１４３は、曲面を含むことができる。蛍光体層１４０の第２領域１４３は、第１地点Ｐ１、第２地点Ｐ２及び第３地点Ｐ３を含むことができる。前記第１地点Ｐ１、第２地点Ｐ２及び第３地点Ｐ３は、蛍光体層１４０の第２領域１４３の外面上の地点であってもよい。前記第２領域１４３の外側面は、前記第１地点Ｐ１、第２地点Ｐ２及び第３地点Ｐ３を含むことができる。前記第１地点Ｐ１は、前記蛍光体層１４０の表面で前記基板１１０に隣接して前記第１光源１２１より外側に配置されてもよい。前記第１地点Ｐ１は、前記第１光源１２１の上面に水平な直線より低く配置されてもよい。前記第２地点Ｐ２は、前記光源１２０の上面より高い位置に配置され、前記第１地点Ｐ１を通る垂直な仮想の直線より内側に配置されてもよい。前記第３地点Ｐ３は、前記第２地点Ｐ２よりも第１領域１４１に隣接して前記第２地点Ｐ２を通る垂直な仮想の直線より内側に配置されてもよい。
【００４５】
前記第１地点Ｐ１は、前記第１光源１２１の中心Ｃ１から基板１１０に水平方向に蛍光体層１４０の第２領域１４３の外面と接触または交差する位置であってもよい。前記第３地点Ｐ３は、前記第１光源１２１の中心Ｃ１から前記基板１１０に垂直な直線と蛍光体層１４０の第２領域１４３の外面と接触または交差する位置であってもよい。前記第２地点Ｐ２は、蛍光体層１４０の第２領域１４３の第１地点Ｐ１と第３地点Ｐ３の間のいずれか１つの領域であってもよい。前記第１地点Ｐ１と前記第３地点Ｐ３は、前記第１光源１２１の中心Ｃ１を基準として水平な直線及び垂直な直線と交差する地点であってもよい。
【００４６】
前記第１光源１２１の中心Ｃ１から第１地点Ｐ１の間の第１距離Ｌ１と、前記第１光源１２１の中心Ｃ１から前記第２地点Ｐ２までの第２距離Ｌ２と、前記第１光源１２１の中心Ｃ１から前記第３地点Ｐ３までの第３距離Ｌ３は、相互異なってもよい。前記第１光源１２１の中心Ｃ１から前記第３地点Ｐ３までの第３距離Ｌ３は、前記第１光源１２１の中心Ｃ１から第１地点Ｐ１の間の第１距離Ｌ１と、前記第１光源１２１の中心Ｃ１から前記第２地点Ｐ２までの第２距離Ｌ２より大きく形成されてもよい。前記第１光源１２１の中心Ｃ１から第２地点Ｐ２の間の第２距離Ｌ２は、第１光源１２１の中心Ｃ１から前記第１地点Ｐ１までの第１距離Ｌ１より大きく形成されてもよい。
【００４７】
従来の問題を説明すると、前記樹脂層１４０の側面が曲面ではない場合、光源のうち一番外側に配置された第１光源１２１の中心Ｃ１から第２地点Ｐ２の間の第２距離Ｌ２は、第１光源１２１の中心Ｃ１から第３地点Ｐ３の間の第３距離Ｌ３と第１光源１２１の中心Ｃ１から第１地点Ｐ１の間の第１距離Ｌ２に比べて著しく遠く形成される。このような前記第２地点Ｐ２と第１光源１２１の間の距離が相対的に増加することにより、前記第２地点Ｐ２及びその周辺は暗線が発生する問題がある。
【００４８】
実施例は、第１光源１２１の中心Ｃ１と第２地点Ｐ２の間の第２距離Ｌ２が減るように蛍光体層１４０の第２領域１４３が曲面を有するように形成されることで、暗線が発生することを防止できる効果がある。また、実施例は、第１距離Ｌ１、第２距離Ｌ２及び第３距離Ｌ３の値の差が殆どないように曲面を形成することで、前記蛍光体層１４０の側面の光均一度を向上させ、蛍光体層１４０の上面と側面の間の光均一度も向上させることができる。実質的に、第１距離Ｌ１、第２距離Ｌ２、第３距離Ｌ３の距離値の差はあるが、蛍光体層１４０の上面及び側面に行くほど前記距離値の差は非常に小さいので、外部から見た時輝度差を認知し難い。
【００４９】
前記第１光源１２１の中心Ｃ１から第１地点Ｐ１の間の第１距離Ｌ１は、第１光源１２１の間の距離によって決定されてもよい。前記第１光源１２１とそれに隣接する光源の間の距離Ｌ４は、５.５ｍｍ〜６.５ｍｍとなるように前記第１光源１２１を配置することができる。第１光源１２１とそれに隣接する光源の間の距離Ｌ４が６.５ｍｍを超えると、外部から見る時第１光源１２１が配置された領域にホットスポットが発生することがある。
【００５０】
前記第１光源１２１の中心Ｃ１から第１地点Ｐ１の間の第１距離Ｌ１は、隣接する２つの光源の間の第４距離Ｌ４の４４％〜５５％となるように第１光源１２１を配置することができる。例えば、第１光源１２１の中心Ｃ１から第１地点Ｐ１の間の第１距離Ｌ１は３ｍｍ前後に決定されてもよい。前記第１光源１２１の中心Ｃ１から第１地点Ｐ１の間の第１距離Ｌ１が第４距離Ｌ４の４４％未満であるか５５％を超えると、蛍光体層１４０の第２領域１４３を通じて出射される光が過度に明るくまたは暗く見えることになり、光均一度が低下する問題が発生することがある。
【００５１】
前記蛍光体層１４０の第２領域１４３の曲率半径Ｒ１は、前記蛍光体層１４０及び前記樹脂層１３０の厚さによって決定されてもよい。前記蛍光体層１４０の第２領域１４３の曲率半径Ｒ１は、基板１１０と垂直方向の樹脂層１３０の厚さｔ１と蛍光体層１４０の第１領域１４１の厚さｔ２の和より大きくまたは同一に形成されてもよい。例えば、前記蛍光体層１４０の第２領域１４３の曲率半径Ｒ１は、前記基板１１０と垂直方向の樹脂層１３０の厚さｔ１と前記蛍光体層１４０の第１領域１４１の厚さｔ２の和の１００％〜１１０％となるように形成されてもよい。前記垂直方向に前記樹脂層１３０の厚さｔ１は最大厚であってもよい。
【００５２】
ここで、前記樹脂層１３０の厚さｔ１は５.０ｍｍ〜５.５ｍｍを有し、前記蛍光体層１４０の第１領域１４１の厚さｔ２は０.５ｍｍを有することができる。これによって、前記蛍光体層１４０の第２領域１４３の曲率半径Ｒ１は５.５ｍｍ〜６.０ｍｍを有することができる。ここで、前記蛍光体層１４０の第１領域１４１の厚さｔ２を０.５ｍｍ未満に形成する場合光効率は増加することができる。前記蛍光体層１４０の第１領域１４１の厚さｔ２を０.５ｍｍ未満に形成する工程は現実的に難しいので、蛍光体層１４０の第１領域１４１の厚さｔ２は最小限に形成することが効果的である。
【００５３】
また、蛍光体層１４０は、第１領域１４１と第２領域１４３の間に第４地点Ｐ４を含むことができる。第４地点Ｐ４は、蛍光体層１４０の外面の一領域に配置されてもよい。また、第４地点Ｐ４と最短距離の基板１１０の上には第５地点Ｐ５を含むことができる。
【００５４】
蛍光体層１４０の第４地点Ｐ４と基板１１０の第５地点Ｐ５の間の距離Ｌ５は、蛍光体層１４０の第２領域１４３の第１地点Ｐ１から第１光源１２０までの第１距離Ｌ１より大きくてもよい。また、蛍光体層１４０の第４地点Ｐ４と基板１１０の第５地点Ｐ５の間の距離Ｌ５は、蛍光体層１４０の第２領域１４３の曲率半径Ｒ１より小さくまたは同一に形成されてもよい。
【００５５】
前記蛍光体層１４０は、前記蛍光体層１４０の第２領域１４３と基板１１０が接触する第７地点Ｐ７を含むことができる。第７地点Ｐ７は、前記蛍光体層１４０の第２領域１４３と樹脂層１３０が接触または対向する蛍光体層１４０の内側面であってもよい。
【００５６】
前記蛍光体層１４０の第２領域１４３の第７地点Ｐ７と光源１２０の側面の間の距離Ｌ７は、前記光源１２０の間の距離Ｌ４より小さく形成されてもよい。前記基板１１０に形成される第５地点Ｐ５は、前記第７地点Ｐ７から前記第１光源１２０までの距離より大きく、前記曲率半径Ｒ１より小さいまたは同一な領域内に配置されてもよい。
【００５７】
上記のように、照明装置１００の諸条件によって蛍光体層１４０の第２領域１４３の曲率半径Ｒ１が決定される。
【００５８】
図５は、図１の照明装置において蛍光体層を除去した状態の照明装置を示した斜視図であり、図６は、図５の照明装置において光源と樹脂層の間の距離に応じた関係を説明するための平面図であり、図７は、図５のＢ‐Ｂ断面図である。
【００５９】
図５に示されたように、樹脂層１３０は、フラットな上面１３１と、前記上面１３１から基板１１０に向かって折り曲げられて形成された第１側面１３３と、前記第１側面１３３と隣接するように配置された第２側面１３５と、前記第１側面１３３と第２側面１３５の間に配置された角領域１３７を含むことができる。ここで、第１側面１３３、第２側面１３５及び角領域１３７は、曲面を含むことができる。
【００６０】
樹脂層１３０の上面１３１は、蛍光体層の第１領域の下部と接触することができる。樹脂層１３０の側面１３３、１３５及び角領域１３７は、蛍光体層の第２領域と接触することができる。即ち、樹脂層１３０の上面１３１、側面１３３、１３５及び角領域１３７は、蛍光体層の内側面と対応する形状に形成されてもよい。
【００６１】
前記樹脂層１３０は、基板１１０の上面と接触または対向する領域において樹脂層１３０の第１側面１３３と角領域１３７が接触または対向する第８地点Ｐ８を含むことができる。前記樹脂層１３０は、基板１１０の上面と接触または対向する領域において第２側面１３５と角領域１３７が接触または対応する第９地点Ｐ９を含むことができる。樹脂層１３０は、基板１１０の上面と接触または対向する領域において角領域１３７の外面である第１０地点Ｐ１０を含むことができる。ここで、前記樹脂層１３０と基板１１０の上面が接触または対向する領域は、直線１３３ａを含むことができる。
【００６２】
図６に示されたように、樹脂層１３０に角領域１３７に隣接する第１光源１２０の中心Ｃ１から前記角領域１３７の第１０地点Ｐ１０までの距離Ｌ１０は、第１光源１２０の中心Ｃ１から樹脂層１３０の第８地点Ｐ８までの距離Ｌ８と同一に形成されてもよい。
【００６３】
樹脂層１３０の角領域１３７に隣接する第１光源１２０の中心Ｃ１から前記角領域１３７の第１０地点Ｐ１０までの距離Ｌ１０は、第１光源１２０の中心Ｃ１から樹脂層１３０の第９地点Ｐ９までの距離Ｌ９と同一に形成されてもよい。
【００６４】
これによって、樹脂層１３０の角領域１３７から出射する光は、樹脂層１３０の第１側面１３３及び第２側面１３５から出射する光と同じ輝度を有することができる。
【００６５】
図７に示されたように、樹脂層１３０の角領域１３７の外面は、第１光源１２０の中心Ｃ１から基板１１０に垂直な最短距離である第１１地点Ｐ１１を含むことができる。よって、第１光源１２０の中心Ｃ１から第１１地点Ｐ１１までの直接距離Ｌ１１は、第１光源１２０の中心Ｃ１から第１０地点Ｐ１０までの距離Ｌ１０より大きく形成されてもよい。即ち、樹脂層１３０の角領域１３７は、樹脂層１３０の側面と同様に、樹脂層１３０の上面に向かうほど第１光源１２０からの距離が増加することができる。ここで、前記基板１１０と前記樹脂層１３０の間に反射層が配置された場合、前記基板１１０の上に配置される各地点Ｐ５、Ｐ７は、前記反射層に位置または前記反射層と接触する地点であり、前記基板１１０に一番隣接する地点であってもよい。前記基板１１０と前記蛍光体層１４０の下端の間に反射層が配置された場合、前記蛍光体層１４０の下端は、反射層に接触または前記基板１１０に一番隣接する地点であってもよい。前記反射層は、前記基板１１０の上部層であってもよい。
【００６６】
実施例に係る照明装置と従来照明装置を比較すると、従来の照明装置が多面体に形成される場合、面と面との間の境界領域で暗線が発生することが分かる。反面、実施例の照明装置は、面と面との間の境界領域を曲面に形成することで、暗線が発生することを防止できることが分かる。また、照明装置の側面を曲面を有するように形成することで、照明装置の光輝度が全体的に均一であることがわかる。
【００６７】
図８は、第２実施例に係る照明装置を示した断面図である。第２実施例の説明において、第２実施例は、前記第１実施例と同じ構成及び説明を含むことができ、重複説明は省略することにする。
【００６８】
図８を参照すると、第２実施例に係る照明装置１００は、基板１１０と、前記基板１１０の上に配置された複数の光源１２０と、前記光源１２０の上に配置された樹脂層１３０と、前記樹脂層１３０の上に配置された蛍光体層１４０を含むことができる。
【００６９】
前記基板１１０は、絶縁性または導電性材質を含むことができる。前記基板１１０は、リジッドまたはフレキシブルな材質からなることができる。前記基板１１０は、透明または不透明な材質からなることができる。前記基板１１０は、上部に導電性パターンの電極が形成される。前記基板１１０は、使用目的に応じて多様に設計することができる。
【００７０】
前記光源１２０は、前記基板１１０の上に配置されてもよい。前記光源１２０は、発光素子を含むことができる。前記光源１２０は、基板１１０の長軸(列)方向にＮ個の光源１２０が配置され、前記基板１１０の短軸(行)方向にＭ個の光源１２０が配置されてもよい。前記樹脂層１３０は、基板１１０及び光源１２０の上に配置されてもよい。前記樹脂層１３０は、複数の光源１２０の上面及び側面を覆うように形成されてもよい。前記蛍光体層１４０は樹脂層１３０の上に配置されてもよい。
【００７１】
前記蛍光体層１４０は、樹脂層１３０の上に形成された第１領域１４１と、樹脂層１３０の側面に配置された第２領域１４３と、前記第２領域１４３と基板１１０の間に配置された第３領域１４５を含むことができる。
【００７２】
前記蛍光体層１４０の第１領域１４１は、前記基板１１０と垂直方向にＮ個の光源１２０のうち一部とオーバーラップすることができる。前記蛍光体層１４０の第１領域１４１は、前記基板１１０の上面と平行するように配置されてもよい。前記蛍光体層１４０の第１領域１４１は、フラットな面を含むことができる。
【００７３】
前記蛍光体層１４０の第２領域１４３は、蛍光体層１４０の第１領域１４１の側面から基板１１０方向に延長される。蛍光体層１４０の第２領域１４３は、曲面を含むことができる。前記蛍光体層１４０の第２領域１４３は、外部に膨らむ形状の曲面を含むことができる。前記蛍光体層１４０の第３領域１４５は、蛍光体層１４０の第２領域１４３と基板１１０の間に垂直に配置されてもよい。前記蛍光体層１４０の第３領域１４５の一側は、前記蛍光体層１４０の第２領域１４３と接触し、蛍光体層１４０の第３領域１４５の他側は、前記基板１１０の上面と接触または対向することができる。前記蛍光体層１４０の第３領域１４５の高さｈ１は、前記光源１２０または第１光源１２１の高さｈ２より小さく形成されてもよい。
【００７４】
実施例では、蛍光体層１４０の第１領域１４１の厚さと蛍光体層１４３の第２領域１４３の厚さと蛍光体層１４０の第３領域１４５の厚さは対応するように形成することができる。前記蛍光体層１４０の第２領域１４３は、第１地点Ｐ１、第２地点Ｐ２及び第３地点Ｐ３を含むことができる。前記第１地点Ｐ１、第２地点Ｐ２及び第３地点Ｐ３は、蛍光体層１４０の第２領域１４３の外面であってもよい。
【００７５】
前記第１地点Ｐ１は、樹脂層１３０の側面と一番隣接するように配置された第１光源１２１の中心Ｃ１から前記基板１１０に水平方向に蛍光体層１４０の第２領域１４３の外面と接触または対向する領域であってもよい。前記第１地点Ｐ１は、前記蛍光体層１４０の第２領域１４３と第３領域１４５が接触または対向する領域であってもよい。前記第２地点Ｐ２は、前記蛍光体層１４０の第２領域１４３の外面のうちいずれか１つの領域であってもよい。前記第３地点Ｐ３は、前記第１光源１２１の中心Ｃ１から前記基板１１０に垂直な直線と前記蛍光体層１４０の第２領域１４３の外面と接触または対向する領域であってもよい。
【００７６】
前記第１光源１２１の中心Ｃ１から第１地点Ｐ１の間の第１距離Ｌ１と、前記第１光源１２１の中心Ｃ１から前記第２地点Ｐ２までの第２距離Ｌ２と、前記第１光源１２１の中心Ｃ１から前記第３地点Ｐ３までの第３距離Ｌ３は、相互異なるように形成されてもよい。
【００７７】
前記第１光源１２１の中心Ｃ１から前記第３地点Ｐ３までの第３距離Ｌ３は、第１光源１２１の中心Ｃ１から第１地点Ｐ１の間の第１距離Ｌ１と、前記第１光源１２１の中心Ｃ１から前記第２地点Ｐ２までの第２距離Ｌ２より大きく形成されてもよい。前記第１光源１２１の中心Ｃ１から第２地点Ｐ２の間の第２距離Ｌ２は、第１光源１２１の中心Ｃ１から前記第１地点Ｐ１までの第１距離Ｌ１より大きく形成されてもよい。
【００７８】
前記蛍光体層１４０は、第１領域１４１と第２領域１４３の間に第４地点Ｐ４を含むことができる。前記第４地点Ｐ４は、蛍光体層１４０の外面に配置されてもよい。前記第４地点Ｐ４と最短距離の基板１１０の上には第５地点Ｐ５を含むことができる。前記蛍光体層１４０の第４地点Ｐ４と前記基板１１０の第５地点Ｐ５の間の距離Ｌ５は、前記蛍光体層１４０の第２領域１４３の第１地点Ｐ１から第１光源１２１までの距離より大きくてもよい。前記蛍光体層１４０の第４地点Ｐ４と前記基板１１０の第５地点Ｐ５の間の距離Ｌ５は、前記蛍光体層１４０の第２領域１４３の曲率半径Ｒ１より小さいまたは同一であってもよい。
【００７９】
前記蛍光体層１４０の第３領域１４５は、第６地点Ｐ６を含むことができる。前記第６地点Ｐ６は、前記蛍光体層１４０の第３領域１４５の外側面と前記基板１１０の上面が接触または対向する領域であってもよい。前記第１光源１２１の中心Ｃ１から第６地点Ｐ６までの距離Ｌ６は、第１光源１２１の中心Ｃ１から第１地点Ｐ１までの距離Ｌ１より大きくてもよい。ここで、前記基板１１０と前記樹脂層１３０の間に反射層が配置された場合、前記基板１１０の上に配置される各地点Ｐ５、Ｐ７は、前記反射層に位置または前記反射層と接触する地点であってもよく、前記基板１１０に一番隣接する地点であってもよい。前記基板１１０と前記蛍光体層１４０の下端の間に反射層が配置された場合、前記蛍光体層１４０の下端は反射層に接触または前記基板１１０に一番隣接する地点であってもよい。前記反射層は、前記基板１１０の上部層であってもよい。
【００８０】
第２実施例に係る照明装置は、樹脂層１３０の側面に基板１１０の上面と垂直な直線を有する蛍光体層１４０を備えることで、側面に出射する光の輝度をより均一に形成できる効果がある。
【図１】
2021534546.tif 000003
【図２】
2021534546.tif 000004
【図３】
2021534546.tif 000005
【図４】
2021534546.tif 000006
【図５】
2021534546.tif 000007
【図６】
2021534546.tif 000008
【図７】
2021534546.tif 000009
【図８】
2021534546.tif 000010
【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
基板と、
前記基板の上に所定の間隔で配置されるＮ個の光源(Ｎは３以上の自然数)と、
前記基板及び前記光源の上に配置される樹脂層と、
前記樹脂層の上に配置される蛍光体層と、
を含み、
前記蛍光体層は、前記基板と垂直方向に前記Ｎ個の光源のうちの一部とオーバーラップし、フラットな領域を含む第１領域と、前記第１領域の側面から前記基板の方向に延長され曲面を含む第２領域とを含み、
前記第２領域は、前記樹脂層の側面と一番隣接する第１光源の中心から前記基板に水平方向に接する第１地点、前記曲面の上の第２地点、及び前記第１光源の中心から前記基板に垂直な直線が通る第３地点を含み、
前記第１光源の中心から前記第２地点までの第２距離は、前記第１光源の中心から前記第１地点までの第１距離より大きく、前記第１光源の中心から前記第３地点までの第３距離より小さい、照明装置。
【請求項２】
前記第１距離は、前記光源の間の距離の４４％〜５５％である、請求項１に記載の照明装置。
【請求項３】
前記光源の間の距離は、５.５ｍｍ〜６.５ｍｍである、請求項２に記載の照明装置。
【請求項４】
前記第２領域の曲面の曲率半径は、前記基板の垂直方向の前記樹脂層の厚さと前記蛍光体層の前記第１領域の厚さの和と同一またはより大きい、請求項１から３のいずれか一項に記載の照明装置。
【請求項５】
前記第２領域の曲面の曲率半径は、前記樹脂層の厚さと前記蛍光体層の前記第１領域の厚さの和の１００％〜１１０％であり、
前記樹脂層の厚さと前記蛍光体層の前記第１領域の厚さの和は、５.５ｍｍ〜６.０ｍｍである、請求項４に記載の照明装置。
【請求項６】
前記Ｎ個の光源は、列に合わせて配置され、行に合わせて配置されるＭ個の光源をさらに含む、請求項１から５のいずれか一項に記載の照明装置。
【請求項７】
前記蛍光体層は、前記第１領域と前記第２領域の間に位置し、前記蛍光体層の外面の一地点である第４地点、及び前記基板と前記第２領域の外面が対向する第７地点を含み、
前記基板は、前記第４地点から前記基板の上面と最短距離である前記基板の第５地点を含み、
前記基板の前記第５地点は、前記第７地点から前記第１地点に一番隣接する前記第１光源までの距離より大きく、前記曲面の曲率半径より小さいまたは同一な領域内に配置される、請求項１から６のいずれか一項に記載の照明装置。
【請求項８】
前記蛍光体層は、前記蛍光体層の前記第２領域と前記基板との間に前記基板と垂直な第３領域を含み、
前記第３領域は、前記基板と対向する第６地点を含み、
前記第１光源の中心から前記第６地点までの距離は、前記第１距離より大きい、請求項１から７のいずれか一項に記載の照明装置。
【請求項９】
前記基板の上面を基準として前記第３領域の高さは、前記光源の高さより小さく、
前記第１地点、前記第２地点、及び前記第３地点は、前記蛍光体層の前記第２領域の外面である、請求項８に記載の照明装置。
【請求項１０】
基板と、
前記基板の上に所定の間隔で配置されるＮ個の光源(Ｎは３以上の自然数)と、
前記基板及び前記光源の上に配置される樹脂層と、
前記樹脂層の上に配置される蛍光体層と、
を含み、
前記蛍光体層は、前記Ｎ個の光源のうちの一部と前記基板と垂直方向にオーバーラップするフラットな領域と、前記フラットな領域と隣接する曲面領域とを含み、
前記蛍光体層は、前記蛍光体層と前記基板が接触する第７地点、及び前記蛍光体層の前記曲面領域と前記フラットな領域が接する第４地点を含み、
前記基板は、前記第４地点から前記基板の上面と最短距離である前記基板の第５地点を含み、
前記基板の前記第５地点は、前記第７地点から前記第７地点に一番隣接する前記第１光源までの距離よりは大きく、前記曲面領域の曲率半径よりは小さいまたは同一な領域内に配置される、照明装置。
【請求項１１】
前記第４地点は、前記蛍光体層の外面に配置され、
前記第７地点は、前記蛍光体層と前記樹脂層が隣接する前記蛍光体層の内側面に配置される、請求項１０に記載の照明装置。
【請求項１２】
前記蛍光体層の前記フラットな領域の厚さは、前記曲面領域の厚さと同一である、請求項１０または１１に記載の照明装置。
【請求項１３】
基板と、
前記基板の上に所定の間隔で離隔して配置される複数の光源と、
前記基板及び光源の上に配置される樹脂層と、
前記樹脂層の上に配置される蛍光体層と、
を含み、
前記樹脂層は、第１側面、第２側面と前記第１側面及び第２側面と接する角領域を含み、
前記樹脂層は、前記基板の上面と対向する領域で前記第１側面と前記角領域が接する第８地点と、前記基板の上面と対向する領域で前記第２側面と前記角領域が接触する第９地点と、前記角領域の外面である第１０地点とを含み、
前記樹脂層の角領域に一番隣接する第１光源の中心から前記角領域の外面の第１０地点までの距離は、前記第１光源の中心から前記第８地点及び前記第９地点までの距離と同一である、照明装置。
【請求項１４】
前記第１側面と前記基板の上面が対向する領域は、直線を含み、
前記角領域の外面は、前記第１光源の中心から前記基板に垂直な方向に最短距離である第１１地点を含み、
前記第１光源の中心から前記第１１地点までの直線距離は、前記第１光源の中心から前記第１０地点までの距離より大きい、請求項１３に記載の照明装置。
【請求項１５】
前記蛍光体層は、赤色インクを含む、請求項１、１０または１３のいずれか一項に記載の照明装置。
【国際調査報告】
2021534546.tif 000011
2021534546.tif 000012
2021534546.tif 000013
2021534546.tif 000014